【手続補正書】
【提出日】平成17年6月10日(2005.6.10)
【手続補正１】
【補正対象書類名】明細書
【補正対象項目名】全文
【補正方法】変更
【補正の内容】
【書類名】          明細書
【発明の名称】      パール感を有する洗浄料
【特許請求の範囲】
【請求項１】  １）エチレングリコール、ジエチレングリコール又はトリエチレングリコールのステアリン酸エステルから選択される一種又は二種以上のパール剤０．１〜１０重量％と、２）３−アルキル（Ｃ１０〜２０）オキシ−２−ヒドロキシプロピルアルギニン及び／又はその塩０．１〜２０重量％とを含有することを特徴とする、パール感を有する洗浄料。
【請求項２】  ３−アルキル（Ｃ１０〜２０）オキシ−２−ヒドロキシプロピルアルギニンにおけるアルキル基が炭素数１２と１４の混合物であることを特徴とする、請求項１に記載のパール感を有する洗浄料。
【請求項３】  更にシリコーン類０．０１〜１０重量％を含有することを特徴とする、請求項１又は２に記載のパール感を有する洗浄料。
【請求項４】  毛髪用のシャンプー又はリンスであることを特徴とする、請求項１〜３の何れか１項に記載のパール感を有する洗浄料。
【発明の詳細な説明】
【０００１】
【発明の属する技術分野】
本発明は、パール感を有する洗浄剤に関し、更に詳細には、パール剤の安定化に有用な洗浄剤に関する。
【０００２】
【従来の技術】
リンス、シャンプーやボディーシャンプー等の洗浄剤の分野に於いては、外観の美麗さから、煌めくような外観を呈するパール剤を含有させる場合が少なくない。この様なパール感は美麗な外観を呈するのみならず、洗浄効果を実感させる作用も有していることを本発明者らは見いだしている。
【０００３】
この様なパール剤には、エチレングリコール、ジエチレングリコール又はトリエチレングリコール等のジエステルやモノエステル、チタンマイカ、オキシ塩化ビスマスなどが存在するが、洗浄後パールの外観が残らないことから、エチレングリコール、ジエチレングリコール又はトリエチレングリコール等のジエステルやモノエステルが頻繁に使用されている。
【０００４】
この様なパール剤は微細な結晶の析出による光学的効果によりパール感を呈するが、かかる析出した微細結晶は、経時的に不安定な場合が少なくなく、浴室などの高温の場所に置かれた場合には、パールが沈降し、外観を損なう場合があった。
【０００５】
この為、ヤシ油脂肪酸ジエタノールアミドなどの界面活性剤を用いて、パール剤の安定化が試みられたが、例えば５０℃の温度条件などの過酷な条件で安定なものは得られておらず、「高温の場所に置かないでください」などの表示を掲げるなど、使用法で対処しているのが現状であった。
【０００６】
一方、洗浄剤に於いて、１）パール剤と２）３−アルキル（Ｃ１０〜２０）オキシ−２−ヒドロキシプロピルアルギニン及び／又はその塩とを含有するものは未だ知られていない。
【０００７】
【発明が解決しようとする課題】
本発明は、この様な状況下為されたものであり、過酷な条件に於いても安定なパール感を有する洗浄料を提供することを課題とする。
【０００８】
【課題を解決するための手段】
かかる状況に鑑みて、本発明者らは過酷な条件に於いても安定なパール感を有する洗浄料を求めて、鋭意研究努力を重ねた結果、１）パール剤と２）３−アルキル（Ｃ１０〜２０）オキシ−２−ヒドロキシプロピルアルギニン及び／又はその塩とを含有する洗浄料に、その様な特質を見いだし、発明を完成させるに至った。即ち、本発明は以下に示す技術に関するものである。
【０００９】
（１）１）エチレングリコール、ジエチレングリコール又はトリエチレングリコールのステアリン酸エステルから選択される一種又は二種以上のパール剤０．１〜１０重量％と、２）３−アルキル（Ｃ１０〜２０）オキシ−２−ヒドロキシプロピルアルギニン及び／又はその塩０．１〜２０重量％とを含有することを特徴とする、パール感を有する洗浄料。
（２）３−アルキル（Ｃ１０〜２０）オキシ−２−ヒドロキシプロピルアルギニンにおけるアルキル基が炭素数１２と１４の混合物であることを特徴とする、（１）に記載のパール感を有する洗浄料。
（３）更にシリコーン類０．０１〜１０重量％を含有することを特徴とする、（１）又は（２）に記載のパール感を有する洗浄料。
（４）毛髪用のシャンプー又はリンスであることを特徴とする、（１）〜（３）の何れか１つに記載のパール感を有する洗浄料。
以下、本発明について、実施の形態を中心に更に詳細に説明を加える。
【００１０】
【発明の実施の形態】
（１）本発明の洗浄料の必須成分であるパール剤
本発明の洗浄料はパール剤を必須の成分として含有することを特徴とする。本発明の洗浄料に使用できるパール剤としては、通常広く使用されている微結晶析出タイプのエチレングリコール、ジエチレングリコール又はトリエチレングリコールのステアリン酸エステルが挙げられる。
【００１１】
具体的な化合物名としては、エチレングリコールモノステアレート、エチレングリコールジステアレート、ジエチレングリコールモノステアレート、ジエチレングリコールジステアレート、トリエチレングリコールモノステアレート、トリエチレングリコールジステアレート等が好ましく例示でき、中でも、エチレングリコールジステアレートとトリエチレングリコールジステアレートが特に好ましい。これは、パールの安定性が特に優れるためである。
【００１２】
本発明の洗浄料に於いて、この様なパール剤は唯１種を含有することも出来るし、２種以上を組み合わせて含有することも出来る。本発明の洗浄料に於ける、パール剤の好ましい含有量は、総量で、洗浄料全量に対し、０．１〜１０重量％であり、更に好ましくは１〜５重量％である。
【００１３】
（２）本発明の洗浄料の必須成分である、３−アルキル（Ｃ１０〜２０）オキシ−２−ヒドロキシプロピルアルギニン及び／又はその塩
本発明の洗浄料は、３−アルキル（Ｃ１０〜２０）オキシ−２−ヒドロキシプロピルアルギニン及び／又はその塩を必須成分として含有する。このもののフリー体は、３−アルキル（Ｃ１０〜２０）オキシ−２−ヒドロキシプロピルがアルギニンの１級のアミノ基に結合したものである。
【００１４】
このものはグリセリンのα−モノアルキルエーテルをアルカリ存在下トシルクロライドで処理し、α−アルキル−β−ヒドロキシ−γ−トシルプロパンと為し、このものとアルギニンとをアルカリ存在下縮合することにより製造することが出来るが、既に市販されているものもあり、この様な市販品を使用することも出来、この様な市販品を用いることが、品質の安定性を確保する上で好ましい。
【００１５】
好ましい市販品としては、味の素株式会社より市販されている、アルキル基がＣ１４とＣ１２の混合物であり、塩酸塩である、「アミセーフＬＭＡ−６０」である。尚、前記３−アルキル（Ｃ１０〜２０）オキシ−２−ヒドロキシプロピルアルギニンの塩としては、通常化粧料で使用されている塩を構成する酸根であれば、特段の限定は受けず、硫酸塩、硝酸塩、塩酸塩、燐酸塩、クエン酸塩、乳酸塩、グリコール酸塩等が例示できるが、安定性と安全性の面からは塩酸塩が特に好ましい。
【００１６】
本発明の洗浄料に於いて、斯かる３−アルキルオキシ−２−ヒドロキシプロピルアルギニン及び／又はその塩は、パール剤を高温などの過酷条件下安定化する作用を有する。加えて、かかる成分は副次的効果として、被洗浄物の表面を滑らかにし、保水性を高める効果も有する。
【００１７】
本発明の洗浄料に於いては、この様な３−アルキル（Ｃ１０〜２０）オキシ−２−ヒドロキシプロピルアルギニン及び／又はその塩を唯１種含有することも出来るし、２種以上組み合わせて含有することも出来る。
【００１８】
本発明の洗浄料に於けるこの様な３−アルキル（Ｃ１０〜２０）オキシ−２−ヒドロキシプロピルアルギニン及び／又はその塩の含有量は、０．１〜２０重量％であり、好ましくは０．５〜５重量％である。これは、少なすぎるとパール剤の安定化効果を発現しない場合があり、多すぎても安定化効果は頭打ちになり、徒に処方の自由度を損なう場合があるからである。
【００１９】
（３）本発明の洗浄料
本発明の洗浄料は、上記に示した必須成分である、パール剤と３−アルキル（Ｃ１０〜２０）オキシ−２−ヒドロキシプロピルアルギニン及び／又はその塩を含有することを特徴とする。ここで、本発明で言う洗浄料とは、生体上に残留していることが好ましくない、過剰に分泌された皮脂、古くなった角層などの成分や汚れ、それらの複合体などを除去する目的で使用される洗浄料を意味し、例えば、シャンプー、リンス等の頭部洗浄料、石鹸やボディーシャンプーなどの体部洗浄料、洗顔料や洗顔石鹸などの顔部洗浄料などが例示できる。
【００２０】
これの内、本発明の洗浄料としては、特に頭皮或いは頭部毛穴周辺に於ける皮脂の除去作用に優れることから、この様な頭部用の洗浄料として使用することが特に好ましい。これは、上記に示した如く、必須成分の一つである、３−アルキル（Ｃ１０〜２０）オキシ−２−ヒドロキシプロピルアルギニン及び／又はその塩に被洗浄物の表面を滑らかにし、保水性を高める作用があり、この様な作用が毛髪に於いて、リンス効果として好ましいものであるからである。
【００２１】
本発明の洗浄剤は、上記の必須構成成分以外に、通常洗浄料で使用される任意の成分を含有することが出来る。この様な任意成分としては、例えば、スクワラン、ワセリン、マイクロクリスタリンワックス等の炭化水素類、ホホバ油、カルナウバワックス，オレイン酸オクチルドデシル等のエステル類、オリーブ油、牛脂、椰子油等のトリグリセライド類、ジメチコンやフェメチコン、アモジメチコン、ポリエーテル変性シリコーン等のシリコーン類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール、イソペンチルグリコール、１，２−ペンタンジオール、ジプロピレングリコール、ジグリセリン等の多価アルコール類、キサンタンガム、グァーガム、カルボキシビニルポリマー、カチオン化セルロースエーテル、カチオン化グァーガムなどの増粘・ゲル化剤、酸化防止剤、紫外線吸収剤、香料、色材、防腐剤、粉体、トウガラシチンキやメントールなどの清涼成分等が好ましく例示できる。
【００２２】
これらの任意成分の内、特に含有することが好ましい成分としては、シリコーン類があり、中でもポリエーテル変性シリコーン（ジメチコンコポリオール）やジメチコン乃至はフェニルメチコンなどの１０００センチストークス以上の高粘度品が例示できる。これらは洗浄後のしっとり感を更に向上させることが出来るからである。
【００２３】
シリコーン類は唯１種を含有させることも出来るし、２種以上組み合わせて含有させることも出来る。シリコーン類の好ましい含有量は、０．０１〜１０重量％であり、更に好ましくは０．１〜５重量％である。これは、少なすぎると効果を発揮しない場合があり、多すぎるとかえってベタツキを発現することがあるからである。
【００２４】
これらの必須の成分、任意の成分、好ましい任意成分を常法に従って処理することにより、本発明の洗浄料は製造することが出来る。かくして得られた本発明の洗浄料は安定なパール感を有する美麗な外観を有し、かかる外観により、洗浄実感を提供し、且つ、副次的効果により洗浄後の後ケアにも優れる。
【００２５】
【実施例】
以下に、実施例を挙げて、本発明について更に詳細に説明を加えるが、本発明がこの様な実施例にのみ限定されないことは言うまでもない。
【００２６】
＜実施例１＞
以下に示す処方に従って本発明の洗浄料である、シャンプーを作成した。即ち、処方成分を８０℃に加熱し、攪拌、可溶化し、攪拌、冷却してシャンプーを得た。このものの「アミセーフＬＭＡ−６０」をヤシ油脂肪酸ジエタノールアミドに置換した比較例１、エチレングリコールジステアレートを水に置換した比較例２、「アミセーフＬＭＡ−６０」をヤシ油脂肪酸ジエタノールアミドに、且つ、エチレングリコールジステアレートを水に置換した比較例３も作成した。
【００２７】
これらのサンプルについて、５０℃で１ヶ月間保存の過酷試験とパネラー１０人を用いた洗浄試験を行った。この内、洗浄試験は４種の洗浄料を渡し１週間交互に使用してもらい、自分の感覚で、洗浄性が非常に良いものに評点４を、洗浄性が良いものに評点３を、洗浄性がやや良いものに評点２を、洗浄性が普通のものに評点１を、洗浄性が悪いものに評点０をつけて評価してもらった。加えて、コメントがあればコメントも記してもらった。
【００２８】
結果を表１に示す。これより、本発明の洗浄料は優れたパール安定化作用が有ることが判る。加えて、パール剤があることにより、使用者が洗浄実感を感じることが出来ることも判る。更に、「アミセーフＬＭＡ−６０」含有の副次的効果として、洗い上がりのしっとり感の向上効果があることも判る。
【００２９】
ポリオキシエチレンラウリルエーテル硫酸ナトリウム  ４０    重量部
コカミドプロピルベタイン                            ５    重量部
「アミセーフＬＭＡ−６０」                          ４    重量部
エチレングリコールジステアレート                    ２    重量部
ポリエーテル変性シリコーン                          ０．５重量部
メントール                                          ０．５重量部
イソペンチルジオール                                ０．５重量部
フェノキシエタノール                                ０．５重量部
塩化ナトリウム                                      ０．１重量部
カチオン化グァーガム                                ０．３重量部
水                                                ５４．６重量部
【００３０】
【表１】
2002121131.tif 000001
【００３１】
＜実施例２〜４＞
実施例１のパール剤の種類を変えて、過酷試験を行った。結果を表２に示す。これより、本発明の洗浄料はパール剤の種類に係わらず、パール剤を安定化する作用に優れることが判る。
【００３２】
ポリオキシエチレンラウリルエーテル硫酸ナトリウム  ４０    重量部
コカミドプロピルベタイン                            ５    重量部
「アミセーフＬＭＡ−６０」                          ４    重量部
パール剤＊                                          ２    重量部
ポリエーテル変性シリコーン                          ０．５重量部
メントール                                          ０．５重量部
イソペンチルジオール                                ０．５重量部
フェノキシエタノール                                ０．５重量部
塩化ナトリウム                                      ０．１重量部
カチオン化グァーガム                                ０．３重量部
水                                                ５４．６重量部
＊詳細は表２に示す。
【００３３】
【表２】
2002121131.tif 000002
【００３４】
＜実施例５〜８＞
実施例１の「アミセーフＬＭＡ−６０」の量を変えて、このものの適正量を求めた。結果を表３に示す。これより、このものの好ましい含有量は、０．１〜２０重量％であり、更に好ましくは０．５〜５重量％であることが判る。
【００３５】
ポリオキシエチレンラウリルエーテル硫酸ナトリウム  ４０    重量部
コカミドプロピルベタイン                            ５    重量部
エチレングリコールジステアレート                    ２    重量部
ポリエーテル変性シリコーン                          ０．５重量部
メントール                                          ０．５重量部
イソペンチルジオール                                ０．５重量部
フェノキシエタノール                                ０．５重量部
塩化ナトリウム                                      ０．１重量部
カチオン化グァーガム                                ０．３重量部
水＊＊
「アミセーフＬＭＡ−６０」＊＊
＊＊重量部は表３に詳細を記す。
【００３６】
【表３】
2002121131.tif 000003
【００３７】
＜実施例９＞
下記に示す処方に従って、本発明の洗浄剤であるトリートメントを作成した。即ち、イ、ロの成分をそれぞれ８０℃に加熱し、イに徐々にロを加え、乳化し、攪拌冷却してトリートメント（リンス）を得た。このもののパール外観は５０℃で２週間の保存条件でも極めて安定であった。
【００３８】
イ）
水                                        ６０．８重量部
１，３−ブタンジオール                      ５    重量部
加水分解コラーゲン                          ０．２重量部
メチルパラベン                              ０．２重量部
フェノキシエタノール                        ０．３重量部
塩化セチルトリメチル                        ２    重量部
塩化ジメチルジステアリル                    ３    重量部
【００３９】
ロ）
ひまし油                                    １    重量部
エチレングリコールジステアレート            ２    重量部
「アミセーフＬＭＡ−６０」                  ２    重量部
ネオペンチルグリコールジイソオクタネート    ５    重量部
流動パラフィン                              ８    重量部
セタノール                                  ６    重量部
ジメチコン（１０ｃ．ｓ．）                  １    重量部
アミノエチルアミノプロピルシロキサン・メチルシロキサン共重合体エマルジョン
２    重量部
オキシベンゾン                              ０．２重量部
メントール                                  ０．３重量部
【００４０】
【発明の効果】
本発明によれば、過酷な条件に於いても安定なパール感を有する洗浄料を提供することができる。